(57)【要約】【課題】立体視を行うことができる画像を任意に作成したり、当該画像をシールシートに印刷したり、レンチキュラーレンズ用の画像を合成したりというように、立体視を利用した画像に関する種々の技術を提供すること。【解決手段】ＣＣＤ等の撮影手段、記憶手段、印刷装置およびＣＰＵ等によって構成され前記各手段を制御する制御手段とを有した画像合成装置であって、前記制御手段は、プログラムに基づいて、前記ＣＣＤによって撮影された画像と前記他の画像を合成して左眼用および右眼用の各合成画像を生成し、前記印刷装置によって前記各合成画像を左右一組として隣り合うように所定のシートに印刷するものである。【選択図】　　　　図１
2004101902.tif 000002
【特許請求の範囲】
【請求項１】
すくなくともデータ入力手段と記憶手段と制御手段とデータ出力手段とを備えた制御機器の前記記憶手段に予め若しくは一時的に記憶され、前記記制御手段によって前記各手段を制御するプログラムであって、
左右に配置して立体視を行った場合に立体画像として認識可能な視差を有した左眼用および右眼用の立体視用画像を予め備え、または当該立体視用画像を前記データ入力手段若しくは他の入力手段を介して取得し、
前記データ入力手段を介して画像を取得した後、当該画像と前記左眼用および右眼用の各立体視用画像と合成して左眼用および右眼用の各合成画像を生成し、当該各合成画像を前記データ出力手段を介して出力することを特徴とした画像合成プログラム。
【請求項２】
データ入力手段、データ出力手段、ＣＰＵ等によって構成され前記各手段を制御する制御手段および前記制御手段を制御するためのプログラムを記憶した記憶手段を有した画像合成装置であって、
前記プログラムは、左右に配置して立体視を行った場合に立体画像として認識可能な視差を有した左眼用および右眼用の立体視用画像を予め備え、または当該立体視用画像を前記データ入力手段若しくは他の入力手段を介して取得するための命令等の情報を含み、
前記データ入力手段を介して画像を取得した後、当該画像と前記左眼用および右眼用の各立体視用画像と合成して左眼用および右眼用の各合成画像を生成し、当該各合成画像を前記データ出力手段を介して出力することを特徴とした画像合成装置。
【請求項３】
ＣＣＤ等の撮影手段、記憶手段、印刷装置およびＣＰＵ等によって構成され前記各手段を制御する制御手段とを有した画像合成装置であって、
前記記憶手段は、前記制御手段を制御するためのソフトウエアプログラム、前記撮影手段によって撮影された画像、当該撮影された画像とは異なる他の画像等を予め若しくは一時的に記憶するためのＲＯＭ、ＲＡＭ又は前記制御手段内に設けられた記憶領域であり、
前記他の画像は、左右に配置して立体視を行った場合に立体画像として認識可能な視差を有した左眼用および右眼用の立体視用画像であり、
前記制御手段は、前記ソフトウエアプログラムに基づいて、前記撮影手段によって撮影された画像と前記他の画像を合成して左眼用および右眼用の各合成画像を生成し、前記印刷装置によって前記各合成画像を左右一組として隣り合うように所定のシート等印刷を行わせるものであることを特徴とする画像合成装置。
【請求項４】
前記シートは裏面に粘着層を有したシールシートであり、当該シールシートの表面には、前記左右一対の左眼用および右眼用の合成画像が複数組印刷されるようになっていることを特徴とする請求項３記載の画像合成装置。
【請求項５】
データ入力手段、記憶手段、データ出力手段およびＣＰＵ等によって構成された前記各手段を制御する制御手段を有した画像合成装置であって、
前記データ入力手段は、デジタルカメラ、記録媒体又は通信回線等によって提供される画像データを入力するための手段であり、
前記記憶手段は、前記制御手段を制御するためのプログラム、前記データ入力手段を介して入力された入力画像、当該入力画像とは異なる他の画像等を、予め若しくは一時的に記憶するためのＲＯＭ、ＲＡＭ又は前記制御手段内に設けられた記憶領域であり、
前記他の画像は、左右に配置して立体視を行った場合に立体画像として認識可能な視差を有した左眼用および右眼用の立体視用画像であり、
前記プログラムは、前記制御手段を制御することにより前記入力画像と前記他の画像を合成して左眼用および右眼用の各合成画像を生成し、前記データ出力手段を介して出力するものであることを特徴とする画像合成装置。
【請求項６】
前記入力画像が視差を有した左眼用および右眼用の少なくとも２つの画像であり、前記合成画像が、当該左眼用および右眼用の各入力画像と前記左眼用および右眼用の他の各画像をそれぞれ合成した画像であることを特徴とする請求項５記載の画像合成装置。
【請求項７】
前記立体視用画像が、額縁を表す画像若しくは日付を表す画像、または額縁および日付を表す画像であって額縁を表す画像が手前側、日付を表す画像が額縁と前記入力画像との中間位置に存在するような視差を有した画像であることを特徴とする請求項２乃至６のいずれか１項に記載の画像合成装置。
【請求項８】
データ入力手段、記憶手段、ＣＰＵ等によって構成された前記各手段を制御する制御手段、およびレンチキュラーレンズ用の印刷データを出力するデータ出力手段を有した画像合成装置であって、
前記データ入力手段は、デジタルカメラ、記録媒体又は通信回線等によって提供される画像情報を入力する手段であり、
前記記憶手段は、前記制御手段を制御するためのプログラム、前記データ入力手段によって入力された入力画像、当該入力画像とは異なる他の画像等を、予め若しくは一時的に記憶するためのＲＯＭ、ＲＡＭ又は前記制御手段内に設けられた記憶領域であり、
前記他の画像は、左右に配置して立体視を行った場合に立体画像として認識可能な左眼用および右眼用の視差を有した一または複数組の立体視用画像であり、前記制御手段は、前記入力画像と前記左右の各他の画像とをそれぞれ合成して左右の各合成画像を生成し、当該左右の各合成画像毎に左右方向に亘って分割した複数個の分割画像を生成し、当該左右の各分割画像を左右交互に配列し、レンチキュラーレンズの凸条レンズに対応するように所定の割合で圧縮することにより一の圧縮合成画像を生成し、
当該圧縮合成画像を前記データ出力手段を介して印刷データとして出力することを特徴とする画像合成装置。
【請求項９】
前記入力画像が左眼用および右眼用の視差を有した一組または２組以上の各画像であり、当該一組または２組以上の左右の各入力画像と前記左右の各立体視用画像とを合成して圧縮合成画像を生成するものであることを特徴とする請求項８記載の画像合成装置。
【請求項１０】
複数の凸条レンズを有したレンチキュラーレンズを用いた立体画像表示体であって、
前記凸条レンズの屈折作用によって、左眼および右眼によってそれぞれ認識される画像の一部または全部に、立体視を行うことにより立体画像として認識可能な視差を有した画像が形成され、
前記画像が、前記視差の作用によって画像を立体的に表示することができるようになっていることを特徴とする立体画像表示体。
【発明の詳細な説明】
【０００１】
【発明の属する技術分野】
本願発明は、立体視を利用した立体画像表示体を形成するための画像合成装置および立体画像表示体に関するものである。
【０００２】
【従来の技術】
従来より、図１２に示すように、２枚の写真１０１ａ、１０１ｂを左右に配置し、当該左右の各写真をそれぞれ右目、左眼によって見ることで、撮影された写真画像を一の画像１０３として立体的に認識する方法が知られている。これは、立体視等と称され、その手法として左の画像は左眼、右の画像は右眼で見る所謂平行法と、左の画像は右眼、右の画像は左眼で見る所謂交差法が知られている。また、当該立体視に用いられる２枚の写真は、視差を有したものとなっている。視差とは、同一の被写体を両眼で見た場合に生じる、左の目に映る像と右の目に映る像との差であり、当該視差によって画像を奥行きのある一枚の立体画像として認識することができるものである。
また、このような視差を有した写真は、次のようにして取得できることが知られている。すなわち、一つの物体を所定間隔を隔てて配置した２つのカメラ、若しく間隔を隔てて配置した２つのレンズを有したカメラで撮影することによって、人間の左眼に移る像として左眼用写真を撮影し、同時に右眼に移る像として右眼用写真を撮影することによって得ることができる（例えば、特許文献１参照）。
なお、立体視は写真に限らず、左右の眼の視差が生じるような絵を形成することによっても行うことができる。
【０００３】
また、レンチキュラーレンズを使用した写真や絵等が知られている。レンチキュラーレンズとは、断面がカマボコ状の細長い凸レンズを平行に複数並べてシート状に形成したものであり、当該レンチキュラーレンズの裏面に設けた写真や絵を、見る角度によって変化させることができるものである。例えば特許文献２にレンチキュラー表示体に関する技術が開示されている。
【０００４】
【特許文献１】
特開２００１−１３４７５１号
【特許文献２】
特開２００１−７５１９９号
【０００５】
【発明が解決しようとする課題】
従来、前記立体視を利用した商品等として、立体視画像（立体視によって一画像として認識可能な視差を有した左右一組の画像）を多数収録した書籍が知られている。また、レンチキュラーレンズによってチェンジングと称される見る角度によって絵が変わるシート状の画像表示体が知られている。
しかし、前記書籍は予め印刷された平面画像を立体画像として見ることができるものであって、好みに応じて任意に作成できるものではなかった。また、一つの画像の中に、視差を有した画像と視差の無い画像を混在させたものは知られていない。
また、レンチキュラーレンズも古くから知られているが、見る角度に影響されず立体的な静止画として見ることができる視差を有した立体視画像と、見る角度によって切り替わる立体視画像とをともに有したものは知られていない。すなわち、チェンジングしない立体視画像と、チェンジングによって表示される画像自体が立体視画像によって構成され見る角度によって立体的な動画像として表示される画像を供に有したレンチキュラーレンズは知られていない。
【０００６】
本願発明は、上記観点に鑑み発明されたものであって、画像合成装置を提供し、立体視を行うことができる画像を任意に作成したり、当該画像をシールシートに印刷したり、レンチキュラーレンズ用の画像を合成したりというように、立体視を利用した画像に関する種々の技術を提供することをその課題とする。
【０００７】
【課題を解決するための手段】
上記課題を解決するために、本願請求項１記載の発明は下記手段を有する。すなわち、
すくなくともデータ入力手段と記憶手段と制御手段とデータ出力手段とを備えた制御機器の前記記憶手段に予め若しくは一時的に記憶され、前記記制御手段によって前記各手段を制御するプログラムであって、
左右に配置して立体視を行った場合に立体画像として認識可能な視差を有した左眼用および右眼用の立体視用画像を予め備え、または当該立体視用画像を前記データ入力手段若しくは他の入力手段を介して取得し、
前記データ入力手段を介して画像を取得した後、当該画像と前記左眼用および右眼用の各立体視用画像と合成して左眼用および右眼用の各合成画像を生成し、当該各合成画像を前記データ出力手段を介して出力することを特徴とした画像合成プログラム。
【０００８】
上記課題を解決するために、本願請求項２記載の発明は下記手段を有する。すなわち、
データ入力手段、データ出力手段、ＣＰＵ等によって構成され前記各手段を制御する制御手段および前記制御手段を制御するためのプログラムを記憶した記憶手段を有した画像合成装置であって、
前記プログラムは、左右に配置して立体視を行った場合に立体画像として認識可能な視差を有した左眼用および右眼用の立体視用画像を予め備え、または当該立体視用画像を前記データ入力手段若しくは他の入力手段を介して取得するための命令等の情報を含み、
前記データ入力手段を介して画像を取得した後、当該画像と前記左眼用および右眼用の各立体視用画像と合成して左眼用および右眼用の各合成画像を生成し、当該各合成画像を前記データ出力手段を介して出力することを特徴とした画像合成装置。
【０００９】
上記課題を解決するために、本願請求項３記載の発明は下記手段を有する。すなわち、
ＣＣＤ等の撮影手段、記憶手段、印刷装置およびＣＰＵ等によって構成され前記各手段を制御する制御手段とを有した画像合成装置であって、
前記記憶手段は、前記制御手段を制御するためのソフトウエアプログラム、前記撮影手段によって撮影された画像、当該撮影された画像とは異なる他の画像等を予め若しくは一時的に記憶するためのＲＯＭ、ＲＡＭ又は前記制御手段内に設けられた記憶領域であり、
前記他の画像は、左右に配置して立体視を行った場合に立体画像として認識可能な視差を有した左眼用および右眼用の立体視用画像であり、
前記制御手段は、前記ソフトウエアプログラムに基づいて、前記撮影手段によって撮影された画像と前記他の画像を合成して左眼用および右眼用の各合成画像を生成し、前記印刷装置によって前記各合成画像を左右一組として隣り合うように所定のシート等印刷を行わせるものであることを特徴とする画像合成装置。
【００１０】
上記課題を解決するために、本願請求項４記載の発明は下記手段を有する。すなわち、
前記シートは裏面に粘着層を有したシールシートであり、当該シールシートの表面には、前記左右一対の左眼用および右眼用の合成画像が複数組印刷されるようになっていることを特徴とする請求項３記載の画像合成装置。
【００１１】
上記課題を解決するために、本願請求項５記載の発明は下記手段を有する。すなわち、
データ入力手段、記憶手段、データ出力手段およびＣＰＵ等によって構成された前記各手段を制御する制御手段を有した画像合成装置であって、
前記データ入力手段は、デジタルカメラ、記録媒体又は通信回線等によって提供される画像データを入力するための手段であり、
前記記憶手段は、前記制御手段を制御するためのプログラム、前記データ入力手段を介して入力された入力画像、当該入力画像とは異なる他の画像等を、予め若しくは一時的に記憶するためのＲＯＭ、ＲＡＭ又は前記制御手段内に設けられた記憶領域であり、
前記他の画像は、左右に配置して立体視を行った場合に立体画像として認識可能な視差を有した左眼用および右眼用の立体視用画像であり、
前記プログラムは、前記制御手段を制御することにより前記入力画像と前記他の画像を合成して左眼用および右眼用の各合成画像を生成し、前記データ出力手段を介して出力するものであることを特徴とする画像合成装置。
【００１２】
上記課題を解決するために、本願請求項６記載の発明は下記手段を有する。すなわち、
前記入力画像が視差を有した左眼用および右眼用の少なくとも２つの画像であり、前記合成画像が、当該左眼用および右眼用の各入力画像と前記左眼用および右眼用の他の各画像をそれぞれ合成した画像であることを特徴とする請求項５記載の画像合成装置。
【００１３】
上記課題を解決するために、本願請求項７記載の発明は下記手段を有する。すなわち、
前記立体視用画像が、額縁を表す画像若しくは日付を表す画像、または額縁および日付を表す画像であって額縁を表す画像が手前側、日付を表す画像が額縁と前記入力画像との中間位置に存在するような視差を有した画像であることを特徴とする請求項２乃至６のいずれか１項に記載の画像合成装置。
【００１４】
上記課題を解決するために、本願請求項８記載の発明は下記手段を有する。すなわち、
データ入力手段、記憶手段、ＣＰＵ等によって構成された前記各手段を制御する制御手段、およびレンチキュラーレンズ用の印刷データを出力するデータ出力手段を有した画像合成装置であって、
前記データ入力手段は、デジタルカメラ、記録媒体又は通信回線等によって提供される画像情報を入力する手段であり、
前記記憶手段は、前記制御手段を制御するためのプログラム、前記データ入力手段によって入力された入力画像、当該入力画像とは異なる他の画像等を、予め若しくは一時的に記憶するためのＲＯＭ、ＲＡＭ又は前記制御手段内に設けられた記憶領域であり、
前記他の画像は、左右に配置して立体視を行った場合に立体画像として認識可能な左眼用および右眼用の視差を有した一または複数組の立体視用画像であり、前記制御手段は、前記入力画像と前記左右の各他の画像とをそれぞれ合成して左右の各合成画像を生成し、当該左右の各合成画像毎に左右方向に亘って分割した複数個の分割画像を生成し、当該左右の各分割画像を左右交互に配列し、レンチキュラーレンズの凸条レンズに対応するように所定の割合で圧縮することにより一の圧縮合成画像を生成し、
当該圧縮合成画像を前記データ出力手段を介して印刷データとして出力することを特徴とする画像合成装置。
【００１５】
上記課題を解決するために、本願請求項９記載の発明は下記手段を有する。すなわち、
前記入力画像が左眼用および右眼用の視差を有した一組または２組以上の各画像であり、当該一組または２組以上の左右の各入力画像と前記左右の各立体視用画像とを合成して圧縮合成画像を生成するものであることを特徴とする請求項８記載の画像合成装置。
【００１６】
上記課題を解決するために、本願請求項１０記載の発明は下記手段を有する。すなわち、
複数の凸条レンズを有したレンチキュラーレンズを用いた立体画像表示体であって、
前記凸条レンズの屈折作用によって、左眼および右眼によってそれぞれ認識される画像の一部または全部に、立体視を行うことにより立体画像として認識可能な視差を有した画像が形成され、
前記画像が、前記視差の作用によって画像を立体的に表示することができるようになっていることを特徴とする立体画像表示体。
【００１７】
【発明の実施の形態】
［第１実施形態］
以下、本願発明に係る画像合成装置の一実施の形態を図を用いて説明する。
図１は、本願発明に係る画像合成装置の構成図であり、１は画像合成装置を示している。画像合成装置１は、主な構成要素として画像入力手段３、記憶手段５、画像出力手段７、およびＣＰＵ等によって構成された前記各手段を制御する制御手段９を有している。また、当該画像合成装置１は、その一つの形態としてその場で撮影した影像をシールとして販売する写真シール販売機として形成されており、上記構成要素の他に金銭投入部および投入された金銭を検出する金銭投入検出手段１１、使用者が当該画像合成装置１を操作する操作手段１３、撮影画像等を表示すめための画像表示手段１５、撮影した画像を所定の用紙、カード若しくはシールシート等に印刷する印刷手段１７が設けられている。
なお、以下の説明中特にことわりなく「画像」という文言を用いるが、本明細書中「画像」とは、前記制御手段９によって処理されるものである場合には『画像に関するデータ』の意味であり、印刷若しくは表示された「画像」として説明している場合には『実際に視認することができる絵若しくは写真等』を意味するものとして使用する。
【００１８】
前記画像入力手段３には、本実施の形態の場合、２眼式のデジタルカメラ１９若しくは２つのＣＣＤを備えた画像撮影装置（以下単に「デジタルカメラ」と総称する。）が用いられる。尚、当該画像入力手段３は、画像を取得するための手段であり、画像合成装置１の形態に応じた画像データ入力装置２１として、ＣＤ、ＤＶＤ、半導体記憶媒体等の読み込み装置、その他オンラインによりデータを受信する装置、スキャナーで取得した画像を入力するようなものであってもよい。これら、デジタルカメラ１９および画像データ入力装置２１は、制御手段９によって制御され、取得した画像を制御手段９に伝送するようになっている。
デジタルカメラ１９は、少なくとも、所定間隔隔てて配置した２つの撮影用レンズを有し、当該２つのレンズを介して略同時に同一被写体の２つの画像を撮影できるようになっているものである。なお、これは独立した２台のカメラを並列に配置したものでもよく、主要な制御部は共通であって２つの撮影用レンズを有した構成の撮影手段でも良い。デジタルカメラ１９は、前記のように同時に２つの画像を得ることができるようになっているが、この２つの画像は人間が左右の眼によってそれぞれ見た影像に相当するものであり、視差を有した一対の画像となっている。
なお、前記デジタルカメラ１９（画像入力手段３）に入力される画像は視差を有した左右一対の２画像であることが望ましいが、他の実施形態として単眼のカメラで撮影した１つの画像を用いることもできる。当該他の実施形態については後述する。
【００１９】
図２を用いて、２つの撮影レンズを有したデジタルカメラによって、視差を有した左右一対の２つの画像を得る仕組みを簡単に説明する。
図２において、２３は撮影の対象となる被写体であって、模式的に２つの矢印図形として表したものである。また、デジタルカメラ１９は被写体２３を撮影するための独立した左右のレンズ２５ａ、２５ｂおよび当該左右のレンズ２５ａ、２５ｂに対応した撮像部としてＣＣＤ２７ａ、２７ｂを有している。この左右のレンズ２５ａ、２５ｂの配置間隔は、好ましくは人間の左右の目の間隔と略同程度の距離に設定される。
当該デジタルカメラ１９によって同一の被写体２３を撮影した場合、それぞれの左右のレンズ２５ａ、２５ｂを介して撮影される画像は多少異なったものとなる。すなわち、同一被写体を見たものであっても左右のレンズ２５ａ、２５ｂに対する像の入射角度が異なり、左のレンズ２５ａからは見えるが右のレンズ２５ｂから見えない部分が生じ、右のレンズ２５ｂからは見えるが左のレンズ２５ａからは見えないといった部分が生じる。この２つの画像間の異った部分が前述した視差であり、模式的に示すと、像２９ａ、２９ｂのようになる。
【００２０】
また、詳細な説明は省略するが、本実施形態に係る画像合成装置１は、写真シール販売機若しくは写真カード販売機として形成されており、所定の筐体を有し、当該筐体内に前記各構成要素が収容等された構成となっている。そして、当該筐体の前面部（図示せず）には、画像表示手段１５、金銭投入検出手段１１、操作手段１３等が設けられ、使用者は制御手段９に基づく画像表示手段１５に表示される指示等に従って金銭の投入その他所定の操作を行い、自己の写真を撮影するようになっている。デジタルカメラ１９は、画像表示手段１５を見つめる当該装置１の使用者を撮影することが可能な位置に設けられている。
【００２１】
前記記憶手段５は、前記制御手段９を制御するためのソフトウエアプログラム（以下「プログラム」という。）、前記画像入力手段３によって入力された入力画像、当該入力画像とは異なる他の画像等を、予め若しくは一時的に記憶するためのＲＯＭ、ＲＡＭ又は前記制御手段内に設けられた記憶領域である。
プログラムは、制御装置によって実行されることにより前記各構成要素を制御管理するよう記述されたものである。
また、記憶手段５は、前記デジタルカメラ１９等の画像入力手段３によって入力された画像（以下「入力画像」）を、制御手段９の制御により記憶するようになっている。そして、さらに当該入力画像と合成する他の画像（以下「合成用画像」若しくは「立体視用画像」という。）が記憶されている。当該合成用画像としては、後述するように一例として額縁を立体的に表すための視差を有した左右一対の２画像、およびタイトル、日付等を立体的に表すための視差を有した左右一対の２画像等が記憶され、これらの画像は本実施形態の場合、使用者による操作手段１３の操作によって適宜選択等される画像の一つとして記憶されている。また、記憶手段５は、制御手段９により生成された前記入力画像と合成用画像の合成画像を一時的に記憶し、適宜読み出して画像出力手段７に対して出力するようになっている。
【００２２】
印刷手段１７は、前記制御手段９によって制御され、制御手段９によって合成された合成画像を所定のシート等に印刷を行う手段である。当該印刷手段１７には、裏面に粘着層を設けたシールシートの表面に印刷を行う昇華型のプリンター等が用いられる。また、他の実施の形態としてレンチキュラーレンズを構成するシート若しくはカード状の部材の裏面に、当該レンチキュラーレンズの位置に合わせて高精度で画像印刷を行うことができるプリンターが用いられる。
その他印刷手段１７は、装置の仕様にあわせてカードに印刷するものであったり、他の物品に印刷するなど適宜選択的することができる。
【００２３】
次に、撮影された画像を、印刷手段１９によってシールシートとして出力するまでの主な流れを図３を用いて説明する。
はじめに、画像合成装置１に対する、所定額の金銭の投入を検出する（Ｓ１）。金銭が投入されるまでは投入の有無を検知するループ処理が行われ、金銭が投入された場合には制御手段９はプログラムに基づき次のフレーム選択処理（Ｓ２）に移行する。
フレーム選択処理（Ｓ２）では、実際にこれから撮影する撮影画像に対して合成するフレーム画像が使用者によって選択される。当該フレーム選択処理時には、画像表示手段１５に所定の画像が表示され、当該画面表示に従って操作手段１３を操作し選択が行われる。
また、フレーム画像とは、記憶手段５に記憶された前述の合成用画像であって、文字通り「枠」を表した画像であったり、図４に示すような額縁を表すような額縁画像３１や、日付、メッセージ、タイトル等を表すタイトル画像３３を表す画像である。これら額縁画像３１、タイトル画像３３は予め視差を有した一対の２画像として記憶手段５に記憶されている。
【００２４】
フレーム選択処理の後、印刷レイアウトの選択処理（Ｓ３）に移行する。当該フレーム選択も、画面表示されたいくつかの印刷レイアウトを操作手段１３の操作によって選択することにより行われる。また、当該印刷レイアウトとは、シールシートに対して合成画像をどのように配置、数、大きさで印刷するのかを決定する処理であり、記憶手段５に記憶された印刷処理データ等に基づいて希望するレイアウトで印刷を行うものである。
以上、フレーム画像および印刷レイアウトの選択が終了すると、撮影処理（Ｓ４）に移行する。
なお、印刷レイアウトは固定式にしてもよい。この場合には、シールシートの剥離紙を残して表面のシール部のみを切るハーフカットが予め行われている（プリカット）ものを使用する場合には、プリカットされている形状にあわせて印刷が行われる。
【００２５】
撮影処理（Ｓ４）では、使用者を前記デジタルカメラ１９によって撮影する処理が行われる。当該撮影の際には、前記選択したフレーム画像とデジタルカメラ１９の左右いずれかのＣＣＤで認識した影像が、合成された状態で画像表示手段に表示され、気に入った画像の状態の時に操作手段１３によりシャッター操作を行い、撮影を行うようになっている。撮影された画像は一時的に記憶手段５に記憶される（Ｓ５）。
撮影が行われると、撮影した画像が表示され再度撮り直しを行うか否かが選択でき、取り直しがなければ選択されたフレーム画像が画像記憶手段５から読み出され（Ｓ６）、当該フレーム画像と撮影画像の合成が行われる（Ｓ７）。そして、当該画像合成（Ｓ７）の後印刷処理（Ｓ８）が行われる。
【００２６】
画像合成処理の概念について、図４を用いてさらに説明する。図４において、３５（３５ａ、３５ｂ）は、前記撮影処理時に使用者によって撮影された画像（入力画像）を説明の為に模式的に表したものであり、３５ａは左側ＣＣＤ２７ａによって撮影された左撮影画像であり、３５ｂは右側ＣＣＤ２７ｂによって撮影された右撮影画像を表している。同図による左撮影画像３５ａと右撮影画像３５ｂを比較と解るように、図中の２本矢印図形の間隔が異なっている。この図形の違いが視差であり、立体視をした場合に２本矢印図形に遠近感を生じさせる作用を有するものである。
３１（３１ａ、３１ｂ）は額縁画像であり、当該左右の額縁画像３１ａ、３１ｂも両画像間に視差を設けたものとなっている。
３３（３３ａ、３３ｂ）はタイトル画像であり、当該左右のタイトル画像３３ａ、３３ｂも両画像間に視差を設けたものである。このタイトル画像には、一例として「２００２．０８．０１」という日時を表す数字と、「Ｈａｐｐｙ　Ｂｉｒｔｈｄａｙ」というタイトル文字が設けられている。
【００２７】
図４に於ける３７（３７ａ、３７ｂ）は、前記前記撮影画像３５，額縁画像３１、タイトル画像３３をそれぞれ合成した画像である。当該合成画像３７は、記憶手段５に記憶されたプログラム等に基づき制御手段９によって行われる。
当該画像合成の後、制御手段９より画像出力手段９を介して所定の印刷手段１７にデータが送られ、前記選択された印刷レイアウトに従ってシールシートに印刷が行われる。これにより、一連の処理が終了する。
【００２８】
また、前記撮影画像３５，額縁画像３１、タイトル画像３３は、ともに視差が設けられた画像であり、当該視差の量によって立体視をした場合に認識される遠近感を調節することができる。図５は、前記図４で説明した各画像を合成した合成画像の立体視を行った場合に於ける、各入力画像３５、タイトル画像３３，額縁画像３１の位置関係を表したものである。図示した例では、最も手前側に額縁画像３１が見え、次いでタイトル画像３３が見え、最も遠い位置に前記撮影画像３５が見えるようになっており、実際の写真を額縁に入れた場合のような感覚で前記各画像を認識することができる。
このような各画像の遠近位置は、各画像の視差の量を調節しておくことで任意に設定しておくことができる。
【００２９】
図６は、前記画像合成装置１によって形成され、印刷の後画像合成装置１から払出されたシールシートの一例を表したものであり、同図において４１はシールシートを表している。
シールシート４１は、はがき大程度の大きさのシートであって、剥離紙と当該剥離紙上に貼り付けられたシールシート４１によって構成され、シールシート４１を剥離紙より剥がすことで粘着シールとして他の部材への貼り付けができるようになっているものである。
シールシート４１の表面には、前記画像合成によって形成された合成画像が、左右の各合成画像一対を一組として複数組配置され、それぞれの画像の輪郭がハーフカット（Ｘ）されている。また、合成画像の大きさおよびシールシート４１上でのレイアウトには種々の形態があり、本実施形態ではシールシート４１の上半部に左右一対の合成画像４５ａ、４５ｂを４組配置し、下半部に前記合成画像４５ａ、４５ｂよりもサイズの大きい左右一対の合成画像４７ａ、４７ｂを１組配置した構成としている。
【００３０】
前記のように配置した各合成画像４５ａ、４５ｂ、４７ａ、４７ｂは、その周囲をハーフカットＸによって剥離紙を切断することなくシール部材のみが切断されているので、各画像部分のみを個別のシールとして剥がし、シールとして使用できるようになっている。
また、前記各個別のシールは、立体視によって立体画像として認識可能な画像として形成されているので、シールシート上において、各合成画像４５ａ、４５ｂおよび４７ａ、４７ｂは立体視によって画像を立体的に見ることができるようになっている。このように本実施形態におけるシールシート４１は立体視を行うことができる画像を設けたものであり、かつ各画像をシールとして使用することができるという機能を備えたものである。
また、シールシート４１の各画像中央の上部には、マーク４９が印刷等されている。当該マーク４９（４９ａ、４９ｂ）は、立体視を行う際に使用するものであって、立体視を行う際の補助となる印である。立体視を行い正常に立体視ができている場合には、マーク４９ａと４９ｂとの間にマーク４９ａと４９ｂの合成によるもう一つマークが見える。この中央のマークが見えるように眼を調節することで、左右の画像の立体視が行われ立体画像が見えるようになっている。
【００３１】
以上説明した実施の形態は、撮影手段から印刷手段までの一連の手段を備えた装置の例を説明したが、前記装置に使用したプログラムは、それを用いる機器用に変換若しくは装置の仕様にあわせて改良することで、他の機器にも用いることができる。すなわち、インターフェイスとしてデータ入力手段やデータ出力手段、記憶手段および制御手段とを備えたパソコンやデータ処理機能を内蔵したプリンタ装置等の制御機器にも、前記と同様のプログラムを提供することができる。すなわち、パソコンに対して前記プログラムを提供する場合には、デジタルカメラで撮影した画像をインターフェイスを介して入力し、ＣＰＵによって画像処理を行わせ、インターフェイスを介して前記画像処理によって生成した合成画像を所定のプリンタで印刷することにより、立体視を行えるような画像を印刷したシート等を得ることができる。
また、プリンタ単体であっても前記のようなデータ入力手段やデータ出力手段、記憶手段および制御手段とを備えたものもあり、このようなプリンタに対して、カードメモリ等を用いて前記機能と同様のアプリケーションを提供し、制御手段によって実行させ、デジタルカメラで撮影した画像を直接当該プリンタに入力し、所定の立体視を行えるような画像を印刷するようにすることができる。
【００３２】
［第２実施形態］
次に、立体視を行うことができる表示体として、レンチキュラーレンズを使用した立体画像表示体について説明する。レンチキュラーレンズの構造および作用は既に公知のものであるが、簡単にレンチキュラーレンズの構造および作用について説明する。レンチキュラーレンズは、透明な合成樹脂等によってシート状に形成したものであり、その表面に断面が半円形状の細長い凸条レンズを複数配列し、当該凸条レンズを介して裏面に印刷若しくは貼り付けによって絵等を視認可能に形成したものである。裏面に設けた画像等は前記凸条レンズに対応して細長く分割した状態で設けられており、各凸条レンズ毎に複数（複数条）の分割された画像が並んだ構造となっている。当該構成により、レンチキュラーレンズの傾き角度を変えながら画像を見ると、各凸条レンズによる光の屈折作用によって前記複数設けられた分割画像を順次見ることができ、傾けかたによって絵の見え方が変わる変わり絵（チェンジング）として表示することができるものである。レンチキュラーレンズはこのような特徴を有するものである。
以下、本実施形態に係るレンチキュラーレンズを用いた立体画像表示体について説明する。本実施形態に係る立体画像表示体に設けられる画像は、前記第１実施形態の画像合成装置１によって撮影、合成等が行われ、最適な例として、レンチキュラーレンズの裏面に対して直接印刷を行うことができるプリンターによって印刷が行われ、形成されるようになっている。なお、プリンターには、レンチキュラーレンズに対して高精度に印刷することができる公知のプリンターが用いられる。また、レンチキュラーレンズ自体は予め形成されており、当該レンチキュラーレンズをプリンターに供給し印刷を行うようになっている。
【００３３】
図７、図８は、前記画像合成装置１によって行われる画像の処理過程の一例を説明するための説明図である。図７（ａ）において、５１（５１ａ、５１ｂ）は、前記画像合成装置１によって形成された撮影画像５３（５３ａ、５３ｂ），額縁画像５５（５５ａ、５５ｂ）、タイトル画像５７（５７ａ、５７ｂ）の合成が行われた立体視用の左右の各合成画像を表している。当該合成画像の生成は、最適な実施例として前述したものと同様の工程により行われる。
なお、本実施形態では、各合成画像５１はそのまま印刷されるのではなく、記憶手段５に一次的に記憶された後若しくは連続的に次に説明する画像の処理が行われ、最終的にレンチキュラーレンズの裏面に印刷されるようになっている。
【００３４】
次に、前記合成画像生成後の、左右の各合成画像の５１ａ、５１ｂの加工処理（レンチキュラーレンズ用画像データの生成）について説明する。なお、以下に行う説明は、画像処理の概念を説明するものであり、以下の処理手順が説明と異なって前後したりまたは一括で演算処理するものであっても、当該概念を用いる限り実質的に同一とみなされるものである。
はじめに、前記各合成画像の５１ａ、５１ｂを、後に被印刷物となるレンチキュラーレンズの各凸条レンズに対応させるために複数条に分割するステップについて説明する。なお、当該画像の分割は、図７（ｂ）において一点鎖線で示したように、画像の左右方向に亘って行われる。
図示するように、左合成画像５１ａは、ａ１〜ａ１８として示したように、分割画像として１８分割され、右合成画像５１ｂは、ｂ１〜ｂ１８として示したように分割画像示として１８分割される。
このように生成された左右の各分割画像ａ１とｂ１、ａ２とｂ２・・ａ１８とｂ１８の左右の各分割画像は、それぞれ対を成すものであり、当該各一対の分割画像は、撮影等された被写体若しくは絵等の略同一部位を左眼および右眼で見た状態の画像に相当する。また、分割画像ａ１〜ａ１８、ｂ１〜ｂ１８の幅は、レンチキュラーレンズの凸条を形成したピッチ（間隔）と同一寸法に設定されている。
【００３５】
次に、前記生成した左右の各分割画像ａ１〜ａ１８、ｂ１〜ｂ１８の左右方向の画像圧縮を行う。当該ステップは、上下方向の寸法は変化させずに、各分割画像の左右方向の寸法を半分にする画像処理を行うものであり、図８（ａ）において、各圧縮分割画像ａ’１〜ａ’１８、ｂ’１〜ｂ’１８として示したように、複数の各圧縮分割画像を生成するものである。
次に、このように生成した各圧縮分割画像ａ’１〜ａ’１８、ｂ’１〜ｂ’１８を、前述した一対の圧縮分割画像毎に順次配列し、図８（ｂ）として示したような圧縮合成画像５９を生成する。すなわち、当該圧縮合成画像は、前記処理によって生成した分割画像を、左側から『ａ１、ｂ１、ａ２、ｂ２、・・ａ１７、ｂ１７、ａ１８、ｂ１８』の順序で配列された状態の画像である。
【００３６】
次に、前記処理によって生成した圧縮合成画像５９を印刷したレンチキュラーレンズについて説明する。なお、レンチキュラーレンズに対する印刷処理は、圧縮合成画像５９をプリンタに対応するデータに変換等処理した後プリンタに送られ、精度良く印刷が行われるものである。
図９は、圧縮合成画像５９が印刷されたレンチキュラーレンズと、当該レンチキュラーレンズによる視覚的作用を説明するための説明図である。当該図面について簡単に説明すると、ｅＬ、ｅＲは人間の左右の眼を表しており、当該左眼ｅＬ、右目ｅＲから描かれている点線は、左眼ｅＬ、右目ｅＲに入射するレンチキュラーレンズの画像を模式的に表したものである。６１はレンチキュラーレンズであり、当該レンチキュラーレンズ６１の表面には微細な凸状レンズ６３が複数条配列されている。なお、本明細書では、説明の都合上レンチキュラーレンズを模式図的に拡大して作図し説明しているが、実際に形成されている凸状レンズ６３は微細でありかつ図示以上に多数設けられている。
また、６５は前述した圧縮合成画像５９を印刷した印刷層である。なお、当該印刷層はレンチキュラーレンズ６１の裏面側より印刷されたものであるが、圧縮合成画像５９は凸状レンズ６３側から見て正常な画像となるように印刷されている。
また、図中ａ１、ｂ１、ａ２、ｂ２、・・ａ１７、ｂ１７、ａ１８、ｂ１８として示した符号は前述と同じく分割画像を表しており、説明の都合上凸状レンズ６３を介して見た状態（上から見た状態）として表している。
【００３７】
レンチキュラーレンズ６１の裏面には、前述のように圧縮合成画像５９が印刷されている。この印刷は、一つの凸状レンズと一対の分割画像ａ１、ｂ１が対応する関係となるように正確に行われる。なお、凸状レンズの形状等による屈折率を考慮し、位置を補正する場合もあるが、ほぼ一つの凸状レンズと一対の分割画像ａ１、ｂ１、ａ２、ｂ２、・・が対応する関係となっている。
この状態で、両眼（ｅＬ、ｅＲ）によってレンチキュラーレンズ６１を見ると、分割画像のうち左分割画像ａ１、ａ２・・ａ１８は左眼ｅＬのみによって視認され、右分割画像ｂ１、ｂ２、・・ｂ１８は右眼ｅＲのみによって視認され、一つの凸状レンズを介して屈折して画像が分かれ、両眼でそれぞれの画像が個々に認識されることになる。
【００３８】
前記のように、左右の各左分割画像ａ１、ａ２・・ａ１８および右分割画像ｂ１、ｂ２、・・ｂ１８を左眼ｅＬおよび右眼ｅＲによって独立して視認すると、前述した立体視と同様の作用が生じ、見る者に対して立体的な画像を見せることができる。
すなわち、本願発明の場合には　図５で説明した例と同様に、前記撮影画像３５，額縁画像３１、タイトル画像３３がレンチキュラーレンズ６１の凸状レンズ６３を介して見ることができ、最も手前側に額縁画像３１が見え、次いでタイトル画像３３が見え、最も遠い位置に前記撮影画像３５が見えるようになつている。したがって、本実施形態の立体画像表示体は、前記シールシート４１同様、実際に撮影した撮影画像３５を、額縁画像３１、タイトル画像３３の奥に見せることができ、撮影画像３５を装飾若しくは際だたせるという作用を有しているものである。
【００３９】
［第３実施形態］
次に、前記第１実施形態および第２実施形態の撮影画像３５が視差を有しない画像である場合について説明する。この場合、額縁画像３１やタイトル画像３３は立体的に認識することができるが、撮影画像３５は平面的な画像となっているはずである。しかし、額縁画像３１やタイトル画像３３等の立体画像を撮影画像３５の手前側に形成すると、撮影画像３５自体が立体画像でなくとも、前面に設けた額縁画像３１やタイトル画像３３等の立体画像による影響により、撮影画像３５も利って異的に錯覚して見えるという作用がある。従って、このような作用を使用する場合には、撮影画像３５は立体画像ではなく平面画像のまま使用することができる。
また、この場合には前記デジタルカメラは２眼式である必要はなく、単眼式のカメラでよい。このようにすることで、装置コストの低減や画像処理手順の簡略化により処理速度の向上等を行うことができる。
【００４０】
［第４実施形態］
次に、レンチキュラーレンズを用いた他の立体画像表示体の例を説明する。前述の例では、一つの凸状レンズ６３に対する分割画像を左右一対（一組）の２画像としたが、当該実施形態はこれを複数画像として形成したものである。レンチキュラーレンズ自体は、基本的に前述のものと同一であるが、当該レンチキュラーレンズに印刷する分割画像を次のようにすることで、立体視をさせながら動画像を見せることができる立体画像表示体を形成することができる。以下、当該立体視をしながら動画像を見せることができる立体画像表示体について説明する。図１０（ａ）は、物体（「矢印」として示した図形）７１が、奥側から手前側に向かって移動している状態を模式的に示しており、Ｘが一番遠くにある位置、Ｙが中間位置、Ｚが一番手前側にある位置を表している。すなわち、物体７１が位置Ｘ、位置Ｙ、位置Ｚと順次奥の方から手前側に移動している状態を一例として３コマで表示したものである。
【００４１】
前記物体７１の移動状態を、前述の画像合成装置のカメラによって連続的に３コマ撮影する。すると２つのレンズによって、３コマの左画像（７３ｘ、７３ｙ、７３ｚ）と、当該３コマに同期した３コマの右画像（７５ｘ、７５ｙ、７５ｚ）が取得される。
当該３コマの各画像を、前述の図７、８を用いた例で説明したのと同様に、使用するレンチキュラーレンズの凸条レンズと同一ピッチで分割画像を形成し、それぞれ当該分割画像の横方向を６分の１に圧縮した分割画像を生成する。すなわち、レンチキュラーレンズの凸条レンズに対応して、左画像７３ｘの分割および圧縮を行い複数の分割画像（Ｌｘ１、Ｌｘ２、Ｌｘ３・・）を生成し、同様に左画像７３ｙの分割画像（Ｌｙ１、Ｌｙ２、Ｌｙ３・・）、左画像７３ｚの分割画像（Ｌｚ１、Ｌｚ２、Ｌｚ３・・）を生成する。また、右画像（７５ｘ、７５ｙ、７５ｚ）についても同様に、右画像７５ｘ分割画像（Ｒｘ１、Ｒｘ２、Ｒｘ３・・）を生成し、同様に右画像７５ｙの分割画像（Ｒｙ１、Ｒｙ２、Ｒｙ３・・）、右画像７５ｚの分割画像（Ｒｚ１、Ｒｚ２、Ｒｚ３・・）を生成する。
なお、分割画像の横方向の圧縮割合は、動画として表示させるコマ数に応じて変えられるものであり、例えば、４コマの動画を表示する場合には８分の１に圧縮し、５コマの動画を表示する場合には１０分の１に圧縮するというように、コマ数の２倍に反比例した割合で圧縮が行われる。
【００４２】
次に、前記のように生成した各分割画像を『Ｌｘ１、Ｌｙ１、Ｌｚ１、Ｒｘ１、Ｒｙ１、Ｒｚ１』を一組として、順次『Ｌｘ２、Ｌｙ２、Ｌｚ２、Ｒｘ２、Ｒｙ２、Ｒｚ２』『Ｌｘ３、Ｌｙ３、Ｌｚ３、Ｒｘ３、Ｒｙ３、Ｒｚ３』・・のように配列した圧縮合成画像７７を生成する。
そして、当該圧縮合成画像７７をレンチキュラーレンズの裏面に印刷することにより、本実施形態における立体画像表示体を形成することができる。
【００４３】
図１１において、圧縮合成画像７７を印刷したレンチキュラーレンズ（立体画像表示体）の作用について説明する。図１１において、８１はレンチキュラーレンズ、８３はレンチキュラーレンズ８１表面の凸条レンズ、８５は圧縮合成画像７７を表した印刷層を示している。また、ｅＬｘ、ｅＬｙ、ｅＬｚはそれぞれ視点が移動した左眼の位置を表し、ｅＲｘ、ｅＲｙ、ｅＲｚはそれぞれ右目の位置を表している。
同図に示すように、レンチキュラーレンズ８１の裏面には各凸レンズ８３に対応して分割画像を印刷した印刷層８５が設けられている。すなわち、各凸状レンズ８３に対応して、各分割画像（Ｌｘ１、Ｌｙ１、Ｌｚ１、Ｒｘ１、Ｒｙ１、Ｒｚ１）、（Ｌｘ２、Ｌｙ２、Ｌｚ２、Ｒｘ２、Ｒｙ２、Ｒｚ２）、（Ｌｘ３、Ｌｙ３、Ｌｚ３、Ｒｘ３、Ｒｙ３、Ｒｚ３）・・が順次配置されている。
当該構成によって、レンチキュラーレンズ８１を見る眼の位置によって、見える画像を変化させることができる。すなわち、左右の眼の位置がｅＬｘ、ｅＲｘの場合には、左眼によって分割画像Ｌｘ１、Ｌｘ２、Ｌｘ３・・が認識され、右眼よって分割画像Ｒｘ１、Ｒｘ２、Ｒｘ３・・が認識される。また、左右の眼の位置がｅＬｙ、ｅＲｙの場合には、左眼によって分割画像Ｌｙ１、Ｌｙ２、Ｌｙ３・・が認識され、右眼よって分割画像Ｒｙ１、Ｒｙ２、Ｒｙ３・・が認識される。また、同様に左右の眼の位置がｅＬｚ、ｅＲｚの場合には、左眼によって分割画像Ｌｚ１、Ｌｚ２、Ｌｚ３・・が認識され、右眼よって分割画像Ｒｚ１、Ｒｚ２、Ｒｚ３・・が認識される。
なお、図１１は原理を説明するための模式図であるから、眼の位置、凸レンズの曲率、光の屈折角度等は実際のものとは異っている。
【００４４】
前述のように眼の位置が位置がｅＬｘ、ｅＲｘの場合には、左眼によって分割画像Ｌｘ１、Ｌｘ２、Ｌｘ３・・が認識され、右眼よって分割画像Ｒｘ１、Ｒｘ２、Ｒｘ３・・が認識される。このときに認識される画像は、図１０における物体７１が、最も遠い位置であるＸの位置にある場合であり、この物体７１が立体視の効果によって物体７１がＸの位置にあるように認識される。
次いで、眼の位置をレンチキュラーレンズ８１の横方向に移動させ若しくはレンチキュラーレンズ８１を傾けて眼の位置をｅＬｘ、ｅＲｘとした場合には、左眼によって分割画像Ｌｙ１、Ｌｙ２、Ｌｙ３・・が認識され、右眼よって分割画像Ｒｙ１、Ｒｙ２、Ｒｙ３・・が認識される。このときに認識される画像は、物体７１が、中間の位置であるＹの位置にある場合であり、この物体７１が立体視の効果によって物体７１がＹの位置にあるように認識される。すなわち、視点を移動させることにより、物体７１がＸからＹの位置に移動したように認識される。
さらに、眼の位置をｅＬｚ、ｅＲｚとした場合には、左眼によって分割画像Ｌｚ１、Ｌｚｙ２、Ｌｚ３・・が認識され、右眼よって分割画像Ｒｚ１、Ｒｚ２、Ｒｚ３・・が認識される。このときに認識される画像は、物体７１が、最も手前側の位置であるＺの位置にある場合であり、この物体７１が立体視の効果によって物体７１がＹの位置にあるように認識される。すなわち、視点を移動させることにより、物体７１がＹからＺの位置に移動したように認識される。
以上のように、視点をｅＬｘ・ｅＲｘ、ｅＬｙ・ｅＲｙ、ｅＬｚ・ｅＲｚと移動させることにより、立体視の効果によって立体的に認識された分割画像を連続的に切り換えることができ、その結果として連続的に変化する立体画像を見せることができるという作用を有する。
【００４５】
本実施形態の立体画像表示体を前述した写真シール販売機のように、使用者の画像を撮影した画像を使用する装置に応用することができる。この場合、使用者がとる任意のポーズを連続的に撮影し、当該連続して撮影した撮影画像から圧縮合成画像を生成し、所定のプリンターによって印刷することでレンチキュラーレンズを用いた立体画像表示体を形成することができる。
また、前述と同様に、装置に予め、額縁画像やタイトル画像を記憶しておき、撮影画像と当該額縁画像とタイトル画像を合成し、撮影画像を所定のタイトルとともに額縁の中に表示するような画像として提供することができる。この場合、額縁画像とタイトル画像は視点の位置にかかわらず固定的に認識され、撮影画像のみが動画的に認識されるようにすることができる。すなわち、額縁の中に、使用者のポーズが連続的に変化する様を表すことができる。
【００４６】
また、以上説明したレンチキュラーレンズを用いた立体画像表示体は、その原理を説明したものであって、実際に作成する場合には次の点が考慮される。
すなわち、レンチキュラーレンズを用いた立体視は、レンズの屈折を利用して左右の眼に異なる画像を見せることによって行われるので、レンチキュラーレンズの裏面に形成された特定の画像は、左右の眼によってそれぞれ所定の角度で見た場合にのみ見えるものである。本実施の形態では、前記角度は人間の平均的な両眼の間隔距離と、レンチキュラーレンズと眼との距離を設定することにより定めている。
なお、レンチキュラーレンズの凸条レンズに対する画像の配置を調整することによっても、左右の眼に入射させる画像がはっきりと見えるようにある程度調整することができる。また、この画像配置位置を調整する場合には、前記圧縮合成画像の生成時に行われる。また、必要に応じて画像配置位置を、変数若しくは両眼の間隔距離を入力することにより、自動的に計算して設定するようにしても良い。
【００４７】
【発明の効果】
上記構成により、本願発明は以下の効果を有する。
すなわち、本願発明の画像合成装置は、撮影した画像を予め用意された視差を有した画像と合成し、立体視を行うことができる画像を生成し出力することができるという効果を有する。当該出力によって得られた画像は、撮影画像を額縁等で囲うような装飾された画像であり、当該装飾された状態の立体視画像を所定のシールシートやレンチキュラーレンズに印刷することで、従来にない立体視が行える立体画像表示体を提供することができるという効果を有する。
【図面の簡単な説明】
【図１】本願発明に係る画像合成装置の構成図である。
【図２】本願発明に係る画像合成装置による画像の撮影処理を説明するための説明図である。
【図３】本願発明に係る画像合成装置による画像処理を説明するためのフローチャートである。
【図４】本願発明に係る画像合成装置による画像処理を説明するための説明図である。
【図５】本願発明に係る画像合成装置による合成画像を説明するための説明図である。
【図６】本願発明に係る画像合成装置によって形成された立体画像表示体の一例を説明するための説明図である。
【図７】本願発明に係る画像合成装置の他の実施形態による画像処理を説明するための説明図である。
【図８】本願発明に係る画像合成装置の他の実施形態による画像処理を説明するための説明図である。
【図９】本願発明に係る画像合成装置の他の実施形態による立体画像表示体の作用を説明するための説明図である。
【図１０】本願発明に係る画像合成装置のさらに他の実施形態による画像処理を説明するための説明図である。
【図１１】本願発明に係る画像合成装置のさらに他の実施形態による立体画像表示体の作用を説明するための説明図である。
【図１２】従来の立体視を説明するための説明図である。
【符号の説明】
１　画像合成装置
３　画像入力手段
５　記憶手段
７　画像出力手段
９　制御手段
１１　金銭投入検出手段
１３　操作手段
１５　画像表示手段
１７　印刷手段
１９　デジタルカメラ
２１　画像データ入力装置
２３　被写体
３５　画像（入力画像）
３１　額縁画像
３３　タイトル画像
３７　合成画像
４１　シールシート
４５ａ　合成画像
４５ｂ　合成画像
４７ａ　合成画像
４７ｂ　合成画像
Ｘ　ハーフカット
４９　マーク
５１　合成画像
５３　撮影画像
５５　額縁画像
５７　タイトル画像
５９　圧縮合成画像
ｅＬ　左眼
ｅＲ　右目
６１　レンチキュラーレンズ
６３　凸状レンズ
６５　印刷層
７１　物体
７７　圧縮合成画像
８１　レンチキュラーレンズ
８３　凸条レンズ
８５　印刷層
【図１】
2004101902.tif 000003
【図２】
2004101902.tif 000004
【図３】
2004101902.tif 000005
【図４】
2004101902.tif 000006
【図５】
2004101902.tif 000007
【図６】
2004101902.tif 000008
【図７】
2004101902.tif 000009
【図８】
2004101902.tif 000010
【図９】
2004101902.tif 000011
【図１０】
2004101902.tif 000012
【図１１】
2004101902.tif 000013
【図１２】
2004101902.tif 000014